(57)【要約】【課題】外部の冷気の侵入を防いで保温性の良い掛け寝具を提供する。【解決手段】本発明の掛け寝具１０は、人体と接する面の中心線を挟む両側に、対向する敷き寝具との間に両側部が閉じられた人体の保温空間が形成されるように、それぞれ側片部１２、１２が長さ方向に設けられる。【選択図】図１
2016214278.tif 000002
【特許請求の範囲】
【請求項１】
人体と接する面の中心線を挟む両側に、対向する敷き寝具との間に両側部が閉じられた人体の保温空間が形成されるように、それぞれ帯状の側片部が長さ方向に設けられる掛け寝具。
【請求項２】
前記の各側片部は、各側縁と平行な直線状をなしている請求項１に記載の掛け寝具。
【請求項３】
前記の各側片部の幅は、各側縁から各側片部までの距離と等しい値に設定されている請求項２に記載の掛け寝具。
【請求項４】
前記の各側片部間の間隔は、５０ｃｍ以上１００ｃｍ以下である請求項１〜３のいずれかに記載の掛け寝具。
【請求項５】
前記の各側片部は、長さ中央部に向けて互いに近づくように湾曲している請求項１に記載の掛け寝具。
【請求項６】
前記の各側片部は、掛け布団に被せられたカバー布の下面に設けられている請求項１〜５のいずれかに記載の掛け寝具。
【請求項７】
前記の各側片部は、掛け布団の下面に設けられている請求項１〜５のいずれかに記載の掛け寝具。
【請求項８】
前記の各側片部は、毛布の下面に設けられている請求項１〜５のいずれかに記載の掛け寝具。
【発明の詳細な説明】
【技術分野】
【０００１】
本発明は、保温性の良い掛け寝具に関するものである。
【背景技術】
【０００２】
従来より、図６のように、掛け布団２は敷き布団４上に仰臥した人体１に掛けて使用される。このとき、人体１の上部は掛け布団２と接しているが、人体１の側部側においては、掛け布団２と敷き布団４との間に隙間３ができる。特に、腰部などの人体の細い部分では大きい隙間３ができる。就寝中は、掛け布団２及び敷き布団４の内部の空気が人体１の熱により暖められるとともに、隙間３にある空気も同時に暖められることにより、掛け布団２と敷き布団４の間の暖かさが保たれる。
【発明の概要】
【発明が解決しようとする課題】
【０００３】
しかし、従来の布団においては、寝返りなどで掛け布団２の両側方が開放された場合には、隙間３にある暖められた空気が開放部分より布団の外へ逃げ、外部の冷気が開放部分より隙間３に入り込み、寒さを感じやすいという問題がある。
【０００４】
本発明は、上記した課題に着目してなされたものであり、外部の冷気の侵入を防いで保温性の良い掛け寝具を提供することを目的とする。
【課題を解決するための手段】
【０００５】
上記課題を解決するため、本発明は、人体と接する面の中心線を挟む両側に、対向する敷き寝具との間に両側部が閉じられた人体の収容空間が形成されるように、それぞれ帯状の側片部が長さ方向に設けられる掛け寝具を提供している。
【０００６】
上記の構成によれば、側片部の間に人体が位置するように掛け寝具を掛けることで、掛け寝具と敷き寝具との間に生じる隙間に側片部が垂れ下がって人体にフィットし、両側片部によって両側部が閉じられた人体の収容空間が形成される。このため、開放部分からの外部の冷気の侵入が防がれ保温性を向上させることができる。
【０００７】
好ましい実施形態においては、前記の各側片部は、各側縁と平行な直線状をなしているが、これに限られるものではない。
【０００８】
前記の各側片部の幅は、各側縁から各側片部までの距離と等しい値に設定されていることが好ましい。
【０００９】
前記構成によれば、各側片部の幅は、各側縁から各側片部までの距離と等しい値に設定されているため、掛け寝具の人体と接する面（下面）と、人体と接する面と反対側の面（上面）とを反転させても、反転前の掛け寝具の形状と同様の形状となり、人体の収容空間を形成することができる。すなわち、各側縁から各側片部までを掛け寝具の側部とすると、反転前の掛け寝具の側部は反転後の側片部となり、反転前の側片部は反転後の掛け寝具の側部となる。
【００１０】
前記の各側片部間の間隔は、５０ｃｍ以上１００ｃｍ以下であることが好ましい。
【００１１】
上記の構成によれば、人体を各側片部間に収容することが可能である。
【００１２】
また、前記の各側片部は、長さ中央部に向けて互いに近づくように湾曲していてもよい。
【００１３】
上記の実施形態によれば、各側片部は、長さ中央部に向けて互いに近づくように湾曲しているため、腰部などの人体の細い部分においても腰部の両側部側での隙間が小さくなり、外部の冷気の侵入を防いで保温性を向上させることができる。
【００１４】
好ましい実施形態においては、前記の各側片部は、掛け布団に被せられたカバー布の下面に設けられている。
【００１５】
前記構成によれば、既存の掛け布団にカバー布を被せることで、既存の掛け布団に簡単に側片部を設けることができる。
【００１６】
前記の各側片部は、掛け布団の下面に設けられていてもよい。
【００１７】
前記の各側片部は、毛布の下面に設けられていてもよい。
【発明の効果】
【００１８】
本発明によれば、側片部の間に人体が位置するように掛け寝具を掛けると、掛け寝具と敷き寝具との間に生じる隙間に側片部が垂れ下がって人体にフィットし、側片部によって両側部が閉じられた人体の収容空間が形成される。このため、外部の冷気の侵入が防がれ保温性を向上させることができる。
【図面の簡単な説明】
【００１９】
【図１】本発明の一実施形態に係る掛け布団カバーが用いられた掛け布団の側面図である。
【図２】図１の掛け布団の平面図である。
【図３】図１の掛け布団の使用時の状態を示す説明図である。
【図４】図１の掛け布団を上下反転させた場合の掛け布団の使用時の状態を示す説明図である。
【図５】他の実施形態に係る掛け布団の平面図である。
【図６】従来の掛け布団の使用時の状態を示す図である。
【発明を実施するための最良の形態】
【００２０】
以下、本発明の掛け寝具の実施形態について、添付図面を参照しながら説明する。本実形態は、本発明の掛け寝具をシングルサイズの掛け布団カバー１０に実施したもので、掛け布団本体５に掛け布団カバー１０が被せられて掛け布団２０が構成されている。
なお、以下の説明では、図２における横方向を幅方向、縦方向を長さ方向とし、図３における人体１と接する側を下側、下側と反対側を上側とする。
【００２１】
図１、図２に示すように、掛け布団カバー１０は、平面形状が矩形状のカバー本体１１と、一対の側片部１２、１２とを備えている。
カバー本体１１は、上生地の側縁と下生地の側縁とを縫い合わせて袋状にしたものであり、上生地と下生地との間に掛け布団本体５が収容可能である。カバー本体１１の側縁１１１、１１１の一部は縫い合わせが施されずに掛け布団本体５を出し入れするための開口部（図示せず）が設けられている。本実施形態では、カバー本体１１の幅方向の長さは１５０ｃｍとしている。
【００２２】
各側片部１２、１２は、帯状であり、カバー本体１１の下生地の下面の中心線Ｌ１を挟む両側に、長さ方向の全長にわたって設けられている。各側片部１２、１２間の間隔Ｌ２は、５０ｃｍ以上、１００ｃｍ以下であり、本実施形態では７０ｃｍとしている。従って、側縁１１１、１１１から各側片部１２、１２までの距離Ｌ３は、４０ｃｍである。各側片部１２、１２の幅Ｌ４は、カバー本体１１の各側縁１１１、１１１から各側片部１２、１２までの距離Ｌ３と等しい値に設定されている。以下、カバー本体１１の各側縁１１１、１１１から各側片部１２、１２までの部分をカバー本体１１の側部１１２、１１２と称する。
【００２３】
図２に示すように、各側片部１２、１２は、カバー本体１１の各側縁１１１、１１１と平行に直線状をなして設けられている。
図３に示すように、側片部１２、１２によって掛け布団２０と敷き布団４との間に、両側部が閉じられた人体１の収容空間Ｓが形成される。
【００２４】
この実施形態の側片部１２、１２は、１枚の布地を折り返して布地の間に例えばポリエステル、アクリル、ポリプロピレンなどの合成繊維からなる充填材１２１を充填して形成されたものである。なお、側片部１２、１２は２枚の布を縫い合わせたものであってもよく、また、側片部１２、１２には充填材１２１を充填しないものであってもよい。また、側片部１２、１２は１枚の布地の一端部をカバー本体１１の下生地に取り付けたものであってもよい。
【００２５】
また、カバー本体１１、側片部１２、１２の素材は、例えば、綿や合成繊維からなる布でもよい。また、カバー本体１１と側片部１２、１２とは異なる素材が用いられていてもよく、例えば、掛け布団カバー１０は綿生地であり、側片部１２、１２が毛布であってもよい。
なお、以上の実施形態では、各側片部１２、１２は全長にわたって均一の幅で形成されているが、これに限られず、人体１の頭部側は幅を大きく、足先側は幅を小さく設定してもよい。
また、以上の実施形態では、各側片部１２、１２は長さ方向の全長にわたって設けられているが、これに限定されず、長さ方向の一部にのみ設けられていてもよい。例えば、長さ方向の中央部分に設けられてもよく、長さ方向の一方の側縁側または両側縁側に設けられていてもよい。
【００２６】
次に、本発明の掛け布団カバー１０の製造方法について説明する。
まず、カバー本体１１の下生地であって両側縁１１１、１１１から距離Ｌ３の各位置に、下生地を折り返して側縁１１１、１１１と並行にひだをそれぞれ設け、各ひだの根元を縫い合わせる。そして、ひだの内部に端部の開口部分から充填材１２１を充填し、ひだの両端部を縫い合わせて閉じることで、カバー本体１１の下生地に側片部１２、１２が形成される。このとき、各側片部１２、１２間の間隔Ｌ２は７０ｃｍとなり、各側片部１２、１２の幅Ｌ４は、各側縁１１１、１１１から各側片部１２、１２までの距離Ｌ３と等しい値となるようにひだを設けている。
次に、側片部１２、１２が下側になるようにして上記のカバー本体１１の下生地とカバー本体１１の上生地とを側縁で縫い合わせる。このとき、縫い合わせは掛け布団本体５を出し入れするための開口部を設けるように施される。
このようにして、本発明の掛け布団カバー１０が製造される。
【００２７】
なお、掛け布団カバー１０の製造方法は本実施形態に限定されず、例えば、以下の方法としてもよい。
カバー本体１１の下生地とは別の布地を用意し、上述のように、ひだを２箇所設けてひだの根元を縫い合わせ、充填材１２１を充填して側片部１２、１２を形成する。この側片部１２、１２を形成した布地をカバー本体１１の下生地の下面に縫い合わせることで、カバー本体１１の下生地に側片部１２、１２を設ける。
【００２８】
また、以下の方法であってもよい。３枚の布地を用意し、１枚の布地に、上述のように、ひだを２箇所設けてひだの根元を縫い合わせ、充填材１２１を充填して側片部１２、１２を形成する。この布地の側片部１２、１２に平行な両側縁に他の２枚の布地を縫いつけ、カバー本体１１の下生地を形成する。側片部１２、１２が下側になるようにしてカバー本体１１の下生地とカバー本体１１の上生地とを側縁で縫い合わせる。
【００２９】
さらに、折り返された１枚の布地または重ね合わされた２枚の布地の間に充填材１２１を充填して縫い合わせることで、２つの側片部１２、１２をカバー本体１１とは別体で作成し、それぞれをカバー本体１１の下生地の下面に縫いつけてもよい。
【００３０】
図３に示すように、本発明の掛け布団カバー１０が被せられた掛け布団２０においては、側片部１２、１２の間に人体１が位置するように掛け布団２０を掛けると、掛け布団２０と対向する敷き布団４との間に生じる隙間に側片部１２、１２が垂れ下がって人体１にフィットし、側片部１２、１２によって両側部が閉じられた人体１の収容空間Ｓが形成される。このため、外部の冷気の侵入が防がれ保温性を向上させることができる。
【００３１】
また、各側片部１２、１２の幅Ｌ４は、各側縁１１１、１１１から各側片部１２、１２までの距離Ｌ３と等しい値に設定されているため、掛け布団２０を上下反転させても、反転前の掛け寝具の形状と同様の形状となり、人体１の収容空間Ｓを形成することができる。具体的には、図４に示すように、掛け布団２０を上下反転させた場合に、カバー本体１１の側部１１２、１１２が掛け布団２０の下側に位置し、掛け布団２０と敷き布団４との間に生じる隙間に垂れ下がって人体１にフィットし、カバー本体１１の側部１１２、１１２によって両側部が閉じられた人体１の収容空間Ｓが形成される。すなわち、反転前のカバー本体１１の側部１１２、１１２は反転後の側片部１２、１２となり、反転前の側片部１２、１２は反転後のカバー本体１１の側部１１２、１１２となる。
【００３２】
なお、本発明の掛け寝具は掛け布団カバー１０に限定されず、例えば、掛け布団に実施してもよく、その場合、各側片部１２、１２は、掛け布団本体の下面に設けられる。
また、本発明の掛け寝具は毛布に実施してもよく、その場合、各側片部１２、１２は、毛布の下面に設けられる。この場合、側片部１２、１２は毛布の本体と一体のものであってもよい。
【００３３】
図５は本発明の他の実施形態を示すもので、カバー本体１１の各側片部１２、１２は、長さ中央部に向けて互いに近づくように湾曲している。
その他の構成は図１〜図３に示す実施形態と同一であるため、図中同一または相当部分には同一符号を付し、説明を省略する。
【００３４】
上記の実施形態によれば、腰部などの人体１の細い部分においても掛け布団２０と敷き布団４との間に大きい隙間が生じないので、外部の冷気の侵入が防がれ保温性を向上させることができる。
【００３５】
以上、本考案の一実施形態について説明したが、本考案は上記実施形態に限定されるものではなく、本考案の趣旨を逸脱しない限りにおいて種々の変更が可能である。
【符号の説明】
【００３６】
１  人体
４  敷き布団
１０  掛け布団カバー
１１  カバー本体
１２  側片部
２０  掛け布団
Ｌ１  中心線
Ｌ２  側片部間の間隔
Ｌ３  側縁から各側片部までの距離
Ｌ４  各側片部の幅
Ｓ  人体の収容空間
【図１】
2016214278.tif 000003
【図２】
2016214278.tif 000004
【図３】
2016214278.tif 000005
【図４】
2016214278.tif 000006
【図５】
2016214278.tif 000007
【図６】
2016214278.tif 000008